(57)【要約】【課題】使用性及び携行性能等に優れた効果を発揮する釣竿及び釣竿モバイルシステムを提供する。【解決手段】ブランク１１とブランク１１の基端側を支持するグリップ１２とからなる。グリップ１２がブランク１１に対して着脱可能に構成されると共に、ブランク１１はその長手方向に沿って少なくとも２ピース以上に等分割される一方、グリップ１２及びブランク１１の各ピースが相互に一体的に接合可能とする。【選択図】図１
0003178453.tif 000002
【実用新案登録請求の範囲】
【請求項１】
ブランクとこのブランクの基端側を支持するグリップとからなる釣竿であって、
前記グリップが前記ブランクに対して着脱可能に構成されると共に、前記ブランクはその長手方向に沿って少なくとも２ピース以上に等分割される一方、前記グリップ及び前記ブランクの各ピースが相互に一体的に接合可能としたことを特徴とする釣竿。
【請求項２】
前記ブランクはその分割時の長さが、前記グリップよりも長く又は短く設定されたことを特徴とする請求項１に記載の釣竿。
【請求項３】
前記ブランクは、軸部及び穂先部の２ピースに等分割されることを特徴とする請求項１又は２に記載の釣竿。
【請求項４】
２ピースに等分割された前記ブランクの各ピースの長さが、９０ｃｍ程度であることを特徴とする請求項３に記載の釣竿。
【請求項５】
前記ブランクは、軸部及び穂先部を含んで３ピース以上に等分割されることを特徴とする請求項１又は２に記載の釣竿。
【請求項６】
前記グリップは、２又は３以上に分割可能であることを特徴とする請求項１〜５のいずれか１に記載の釣竿。
【請求項７】
前記ブランクの基端側と前記グリップが直接又はコネクタを介して嵌合し、前記コネクタの内孔に対する前記ブランクの嵌合部の嵌合径を、異なるタイプの前記ブランク間で共通化したことを特徴とする請求項１〜６のいずれか１に記載の釣竿。
【請求項８】
請求項１〜７のいずれか１に記載の釣竿と、該釣竿における分割された前記ブランクのピースを収納可能な保護ケースとを含んでなり、前記保護ケースを前記釣竿のグリップと別体又は一体的に携行し得るようにしたことを特徴とする利便性を備えた釣竿モバイルシステム。
【考案の詳細な説明】
【技術分野】
【０００１】
本考案は釣竿、特にルアーロッドに関し、該釣竿を含んで構成されるモバイルシステムに関する。
【背景技術】
【０００２】
従来のルアーロッド（バスロッド）では、グリップ（握り部）とブランク（釣竿の芯部）とが一体型のものが主流となっている。長尺化の流行により各社から様々なタイプのものが考案、そして販売されている。
【０００３】
最も典型的なものとして、例えば図７に示すような“センターカット２ピース”等と呼ばれる釣竿２０１がある。このセンターカット２ピースタイプでは、グリップ部２０２を含めたロッド全体が２つのピース２０１Ａ，２０１Ｂに２分割（２等分）される。また、グリップが着脱式の“セパレートグリップ”等と呼ばれるものや、航空機持込み可能なサイズで統一したもの等がある。
【０００４】
近年特に、モバイル性能もしくは携帯性能に対する関心が高まりつつあり、そのような要請に対応すべくその開発も進んできている。モバイル性能に対する工夫として、３本以上に等分割する“マルチピース”タイプや、グリップ周辺部のみが振出し式の“テレスコピック”タイプ等がある。
【０００５】
なお、この種の釣竿として、例えば特許文献１等に開示されるものが従来より知られている。
【先行技術文献】
【特許文献】
【０００６】
【特許文献１】特開２００９−１７８１３１号公報
【考案の概要】
【考案が解決しようとする課題】
【０００７】
しかしながら、携行性能はとりわけ、移動時に実際の荷物としてまとめられた状態、あるいは実釣時の取回し（例えば、特に岸釣りにおいて数本持つ場合等）の際に問題となる。即ち、保護もしくは収納ケースに入れた状態での携行性能、あるいは釣り場に着いた後の収納ケース自体のモバイル性能は極めて重要である。
【０００８】
ちなみに、実際の釣りシーンでよく使用される標準的な長さである７フィート（２１０ｃｍ、グリップ５０ｃｍ、継ぎ重なり部５ｃｍ程度）の釣竿の例で説明する。図７に示したセンターカット２ピースタイプでは、なおこれはマルチピースタイプ以外のものでは最短に収納可能であるが、各ピース２０１Ａ，２０１Ｂの長さは少なく見積もっても１１０ｃｍ程度にしか収まらない。また、ブランク径よりもかなり太いグリップ部２０２を収納しなければならないため、それらを収納する収納ケース２００の径も大きくならざるを得ない。このように収納ケース２００は長く大径であるため、かなり嵩張り、携行性能の点で不利なものであった。
【０００９】
本考案はかかる実情に鑑み、使用性及び携行性能等に優れた効果を発揮する釣竿及びこれを含んでなる利便性を備えた釣竿モバイルシステムを提供することを目的とする。
【課題を解決するための手段】
【００１０】
本考案の釣竿は、ブランクとこのブランクの基端側を支持するグリップとからなる釣竿であって、前記グリップが前記ブランクに対して着脱可能に構成されると共に、前記ブランクはその長手方向に沿って少なくとも２ピース以上に等分割される一方、前記グリップ及び前記ブランクの各ピースが相互に一体的に接合可能としたことを特徴とする。
【００１１】
また、本考案の釣竿において、前記ブランクはその分割時の長さが、前記グリップよりも長く設定されたことを特徴とする。
また、本考案の釣竿において、前記ブランクは、軸部及び穂先部の２ピースに等分割されることを特徴とする。
また、本考案の釣竿において、２ピースに等分割された前記ブランクの各ピースの長さが、９０ｃｍ程度であることを特徴とする。
また、本考案の釣竿において、前記ブランクは、軸部及び穂先部を含んで３ピース以上に等分割されることを特徴とする。
【００１２】
また、本考案の釣竿において、前記グリップは、２又は３以上に分割可能であることを特徴とする。
また、本考案の釣竿において、前記ブランクの基端側と前記グリップが直接又はコネクタを介して嵌合し、前記コネクタの内孔に対する前記ブランクの嵌合部の嵌合径を、異なるタイプの前記ブランク間で共通化したことを特徴とする。
【００１３】
また、本考案の利便性を備えた釣竿モバイルシステムは、上記いずれか１の釣竿と、該釣竿における分割された前記ブランクのピースを収納可能な保護ケースとを含んでなり、前記保護ケースを前記釣竿のグリップと別体又は一体的に携行し得るようにしたことを特徴とする。
【考案の効果】
【００１４】
本考案によれば、ブランク自体を典型的には２等分することにより、それらを細い携行用保護ケースにコンパクトに収納することができる。
【図面の簡単な説明】
【００１５】
【図１】本考案の実施形態に係る釣竿の（ａ）は全体構成例を示す図、（ｂ）は分割状態を示す図である。
【図２】本考案の実施形態に係る釣竿の更に具体的な例を示す図である。
【図３】本考案の実施形態に係る釣竿におけるブランク接合構造例を示す（ａ）は図１（ａ）のＸ部拡大図、（ｂ）は図１（ａ）のＹ部拡大図である。
【図４】本考案の変形例におけるグリップの構成例を示す図である。
【図５】本考案の変形例におけるタイプの異なる釣竿の構成例を示す図である。
【図６】本考案の変形例におけるブランク及びグリップの嵌合構造の例を示す図である。
【図７】従来の釣竿の例を示す図である。
【考案を実施するための形態】
【００１６】
以下、図面に基づき、本考案における釣竿及びこれを含んでなる利便性を備えた釣竿モバイルシステムの好適な実施の形態を説明する。
図１は、本発明に係る釣竿１０を示している。釣竿１０は、ブランク１１と図１（ａ）のように該ブランク１１の基端側を支持するグリップ１２とからなる。ブランク１１は例えばカーボン素材により、またグリップ１２は概して例えばＥＶＥ樹脂あるいはコルク素材により形成される。
【００１７】
なお、図１（ａ）に示されるようにブランク１１に沿って適当な間隔で複数のラインガイド１３が取り付けられ、グリップ１２に搭載されるリールから繰り出されたライン（共に図示せず）がラインガイド１３によってガイドされる。そのラインに結合されたルアー等は、先端のラインガイド１３からリリースされるようになっている。
【００１８】
釣竿１０において、グリップ１２がブランク１１から着脱可能に構成される。また、ブランク１１は、少なくとも２つに等分割される。この場合、分割状態の長さがグリップ１２よりも長く設定される。
図１（ｂ）は、グリップ１２がブランク１１から取り外されると共に、ブランク１１が分割された状態を示している。この例ではブランク１１は長手方向に２等分され、穂先部１１Ａと軸部１１Ｂが実質的に同一長さＬ1を有する。また、グリップ１２は、穂先部１１Ａあるいは軸部１１Ｂよりも短い長さＬ2を有する。
【００１９】
図２は、釣竿１０の更に具体的な例を示しており、先細に成形された穂先部１１Ａの先端にはラインガイド１３Ａが取り付けられ、このラインガイド１３Ａから前述のようにルアー等がリリースされる。軸部１１Ｂは、穂先部１１Ａと滑らかに接合するように若干先細状に成形されるが、概してストレートなシャフト状もしくはロッド状を呈する。
また、グリップ１２において、例えば中空ロッドからなるカーボンフレーム１４の外周面に、その先端側にリールシート部材１５が、基端側にはエンドキャップ１６がそれぞれ取り付けられる。
【００２０】
ここで、図３（ａ）は穂先部１１Ａ及び軸部１１Ｂの接合構造の例（図１（ａ）におけるＸ部）を、図３（ｂ）は軸部１１Ｂ及びグリップ１２の接合構造の例（図１（ａ）におけるＹ部）をそれぞれ示している。図３（ａ）に示されるように穂先部１１Ａの軸部１１Ｂ側の端部には嵌合孔１７が形成される。一方、軸部１１Ｂの穂先部１１Ａ側の端部には、弱いテーパが付された嵌合部１８が形成される。なお、嵌合孔１７には嵌合部１８と整合する弱いテーパが付されている。嵌合部１８を嵌合孔１７に嵌入することで、穂先部１１Ａ及び軸部１１Ｂを強固に一体的に接合することができる。この接合構造において、嵌合孔１７及び嵌合部１８は、穂先部１１Ａと軸部１１Ｂに対して上記とは逆の関係で設けることもできる。
【００２１】
グリップ１２において、リールシート部材１５の先端部分の外周面にはネジ部（図示せず）が形成される。このネジ部は、リール固定用フード１９（図２参照）を螺合するためのものである。リール固定用フード１９の内周部にはリールシート部材１５のネジ部と螺合するネジ部が形成されている。また、図３（ｂ）に示されるようにリール固定用フード１９の先端部には保持リング２０が装着されている。一方、軸部１１Ｂのグリップ１２側の端部には、嵌合部２１が形成される。カーボンフレーム１４の内孔に嵌合部２１を嵌入することで、保持リング２０を介して軸部１１Ｂ及びグリップ１２を強固に一体的に接合することができる。
【００２２】
なお、図２あるいは図３において具体的な構造を示して説明したが、これらの図示例のみ限定されるものではなく、実際上必要に応じて適宜変更可能である。
【００２３】
本考案は上記のように構成されており、次にその作用等を説明する。先ず、釣竿１０においてブランク１１及びグリップ１２を３ピースに分割することで、具体的にはグリップ１２のグリップ長５０ｃｍを除いたブランク１１自体を２等分する。ブランク１１の各ピース（穂先部１１Ａ及び軸部１１Ｂ）の長さＬ1は９０ｃｍ程度となり、グリップ１２を除くことにより、ブランク１１本体は更に細い携行用保護ケースにコンパクトに収納することができる。例えば、図１（ｂ）に示すように保護ケース１の例として、直径約４ｃｍ程度の筒状のものが使用される。
【００２４】
また、実際の釣行において、特に岸釣りの場合には釣人は略必ず、ルアー等を入れるバッグ類（リュックやメッセンジャーバッグ等）を身に着ける。ブランク１１本体から分離されたグリップ１２についてはかかるバッグ類に収めることができ、これにより保護ケース１と相俟って携行時の利便性を有効に向上することができる。
【００２５】
これに加えて本考案の釣竿モバイルシステムでは釣竿１０を１本だけを持ち歩く場合に限定しない。とりわけベイトリール対応のグリップ１２には、図２等に示すように滑り止めとしてトリガ２２が設けられていて、このトリガ２２はグリップ１２の径方向に突出するため、そのままでは収納性を著しく阻害する原因となる。例えば、直径７ｃｍ程度の従来の収納ケース２００（図７をも参照）であっても、かかるトリガ付きのグリップ１２を２本同一方向に揃えて収納することはできない。一方、本考案では４ｃｍ径の保護ケース１に釣竿１０の２本分のブランク１１本体を収納可能である。その場合、グリップ１２の２本分についてはリュック等に収納してもよい。また、例えば一方のブランク１１が折れた場合の備えとして、同型番品のグリップ１２を１つとブランク１１だけ２本の組合せで持ち運びすることも可能になる。
【００２６】
更に、本考案に係る保護ケース１において図１（ｂ）に示されるように、伸長式ベルト２と、保護ケース１に対して該伸長式ベルト２を掛止する位置をずらして調整可能とするバンド３とが付帯的に使用される。これら伸長式ベルト２及びバンド３を付加し、短尺の保護ケース１を釣人の腰回りにてズボンのベルト通し等に留めることで、究極的な携行性を実現することができる。
【００２７】
グリップを持つセンターカット２ピースタイプの釣竿２０１（図７）の場合、その仕舞寸法が１１０ｃｍ程度となり、収納ケース２００を比較的下げて釣人の腰に掛けると、地面を引きずってしまうか、あるいは比較的上げて装着すると釣竿２０１を振るのに都合が悪くなる。つまり釣り現場に到着後、収納ケース２００は嵩張って取扱いに不便な従来のものに対して、本考案によれば、伸長式ベルト２を介して釣人のズボンのベルト通し等に掛止して装着することで、持ち歩きにも極めて便利である。これまでの“バズーカー”等と呼ばれる大型の収納ケースでは到底実現不可能であった取扱い性、使用性等を格段に向上することができる。
【００２８】
また、上述の伸長式ベルト２等を用いて、釣人はタスキがけのように保護ケース１を背中に背負うことができる。その場合、保護ケース１の端部のキャップ４（図１（ｂ））を外して、軸部１１Ｂが接合したグリップ１２にリールを搭載し、該リールを刀の鍔のような形態となるように、軸部１１Ｂ側を保護ケース１に挿入する。なお、軸部１１Ｂから分割された穂先部１１Ａは、保護ケース１内に収納される。このような形態で収納することで、釣人は手に持つタックルとは別に、ルアーをラインの先に結んだまま、背中にもう１つ別のタックルを常備することができる。このような使用方法はウェーディング時等に特に便利であり、かかる優れた使い勝手は本考案の釣竿モバイルシステムによってのみ実現可能である。
【００２９】
なお、上記の場合、ブランク１１が２ピースあるいは３ピース以上に等分割される場合、各ピースをグリップ１２よりも短くし、即ちブランク１１はその分割時の長さがグリップ１２よりも短く設定することもできる。
【００３０】
ここで、本考案の変形例における更なる特徴について説明する。図４の図示例のようにグリップ１００は２分割又は３分割以上に分割可能である。グリップ本体は第１グリップ部１０１及び第２グリップ部１０２からなり、第１グリップ部１０１の嵌合孔１０１ａと第２グリップ部１０２の嵌合部１０２ａを相互に嵌合させることで、両者は一体的に結合する。図４では２分割式のグリップ１００の例を示し、この場合第１グリップ部１０１及び第２グリップ部１０２は典型的には同一長さを有する。
【００３１】
また、選択的に使用可能なコネクタ１０３を含み、必要に応じて異なるタイプの釣竿１０を構成することができる。なお、ブランク１１については、前述したような分割式のものが適用される。第１グリップ部１０１にはコネクタ１０３又はブランク１１の軸部１１Ｂが嵌入する内孔１０１ｂが形成され、その径をＤ1とする。コネクタ１０３は第１グリップ部１０１の内孔１０１ｂに嵌合する嵌合部１０３ａを有し、その径をｄ1とする。また、コネクタ１０３にはブランク１１の軸部１１Ｂが嵌入する内孔１０３ｂが形成され、その径をＤ2とする。
【００３２】
図５は、グリップ１００により構成される３種類の釣竿１０（タイプＡ、タイプＢ、タイプＣ）の例を示している。タイプＡ〜Ｃは釣竿１０の主に長さを基準して区別され、その順に長短設定される。タイプＡではコネクタ１０３を用いずに、ブランク１１の軸部１１Ｂが内孔１０１ｂに直接嵌入する。この場合、ブランク１１の軸部１１Ｂの径は、第１グリップ部１０１の内孔１０１ｂの径Ｄ1と一致する。
【００３３】
一方、タイプＢ及びタイプＣについてはコネクタ１０３を介して、ブランク１１の軸部１１Ｂが結合される。図６に示されるように第１グリップ部１０１の内孔１０１ｂにコネクタ１０３の嵌合部１０３ａが嵌合し、その内孔１０３ｂにタイプＢ又はタイプＣのブランク１１の軸部１１Ｂが嵌入する。この場合、ブランク１１の軸部１１Ｂの径は、コネクタ１０３の内孔１０３ｂの径Ｄ2と一致する。また、コネクタ１０３と軸部１１Ｂとの嵌合長さは、例えばｘ＝１０ｃｍ程度、コネクタ１０３の露出部の長さは、例えばｙ＝３ｃｍ程度とする。
【００３４】
この変形例においてグリップ１００を２分割又は３分割以上に分割可能とすることで、釣竿１０のモバイル性を更に有効に向上することができる。
また、コネクタ１０３を使用し、この場合更にタイプＢ及びタイプＣのようにコネクタ１０３の内孔１０３ｂに対する軸部１１Ｂの嵌合部２１の径を共通化することで、複数種類の釣竿１０を構成することができる。これによりユーザーの好みのグリップタイプに対して異なる種類のブランクを装着することが可能になる。
【００３５】
以上、本考案を種々の実施形態と共に説明したが、本考案はこれらの実施形態にのみ限定されるものではなく、本考案の範囲内で変更等が可能である。
上記実施形態においてブランク１１は、２つに等分割される例を説明したが、３ピース以上に等分割可能に構成され、上記実施形態と同様な作用効果を得ることができる。
【符号の説明】
【００３６】
１  保護ケース、１０  釣竿、１１  ブランク、１２  グリップ、１３  ラインガイド、１４  カーボンフレーム、１５  リールシート部材、１６  エンドキャップ、１７  嵌合孔、１９  リール固定用フード、２０  保持リング。
【図１】
0003178453.tif 000003
【図２】
0003178453.tif 000004
【図３】
0003178453.tif 000005
【図４】
0003178453.tif 000006
【図５】
0003178453.tif 000007
【図６】
0003178453.tif 000008
【図７】
0003178453.tif 000009